(57)【要約】  本発明の生体活性エネルギーを放射する衣類用繊維シートは、生体活性エネルギーが放射される衣類用繊維シートであって、前記繊維シートの一面に酸化ケイ素、マグネシア、アルミナ、酸化ナトリウム、酸化カルシウム、酸化鉄の生体活性エネルギー放射物質が塗布されて形成される生体活性エネルギー放射層と、前記生体活性エネルギー放射層上の一部に形成され、一定の温度で変色する感温変色部とを含んでなることを特徴とする。
2015523248.tif 000002
【特許請求の範囲】
【請求項１】
生体活性エネルギーが放射される衣類用繊維シートであって、
前記繊維シートの一面に酸化ケイ素、マグネシア、アルミナ、酸化ナトリウム、酸化カルシウム、酸化鉄の生体活性エネルギー放射物質が塗布されて形成される生体活性エネルギー放射層と、前記生体活性エネルギー放射層上の一部に形成され、一定の温度で変色する感温変色部とを含んでなることを特徴とする、生体活性エネルギーを放射する衣類用繊維シート。
【請求項２】
前記酸化ケイ素、マグネシア、アルミナ、酸化ナトリウム、酸化カルシウム、酸化鉄の生体活性エネルギー放射物質がバインダーと混合されて塗布されることを特徴とする、請求項１に記載の生体活性エネルギーを放射する衣類用繊維シート。
【請求項３】
前記バインダーがアクリル系バインダーであることを特徴とする、請求項１に記載の生体活性エネルギーを放射する衣類用繊維シート。
【請求項４】
前記生体活性エネルギー放射物質が繊維シートの重量に対して５〜４０％で塗布されて形成されることを特徴とする、請求項１に記載の生体活性エネルギーを放射する衣類用繊維シート。
【請求項５】
前記酸化ケイ素、マグネシア、アルミナ、酸化ナトリウム、酸化カルシウム、酸化鉄がそれぞれ生体活性エネルギー放射物質に０．５重量％以上ずつ含まれることを特徴とする、請求項１に記載の生体活性エネルギーを放射する衣類用繊維シート。
【請求項６】
前記感温変色部が波形形状、ドット状、ストライプ状、またはデザインされた形状に形成されることを特徴とする、請求項１に記載の生体活性エネルギーを放射する衣類用繊維シート。
【請求項７】
前記感温変色部が、前記生体活性エネルギー放射層と同じ色相に形成され、１０〜３０℃では変色して前記生体活性エネルギー放射層と異なる色相を有することを特徴とする、請求項１に記載の生体活性エネルギーを放射する衣類用繊維シート。
【請求項８】
前記感温変色部が、前記生体活性エネルギー放射層と異なる色相に形成され、１０〜３０℃では変色して前記生体活性エネルギー放射層と同じ色相を有することを特徴とする、請求項１に記載の生体活性エネルギーを放射する衣類用繊維シート。
【発明の詳細な説明】
【技術分野】
【０００１】
本発明は、生体活性エネルギーを放射する衣類用繊維シートに係り、さらに詳しくは、人体に有益な生体活性エネルギーを放射する多種の無機物を衣類用繊維シートに含有させた、生体活性エネルギーを放射する衣類用繊維シートに関する。
【背景技術】
【０００２】
生活水準が向上するにつれて、既存の衣類概念を超えて人体を一層楽にかつ快適にしながら外観上審美的機能を有する機能性衣類を生産することが可能な生地の出現が期待されており、このような市場の要求に応えて、繊維製造会社ではさらに向上した機能の原糸および生地を市場に出している。
【０００３】
上述したような高機能、多機能性原糸または生地は、一般な衣類用だけでなく、スポーツ・登山・レジャーウェアなどの分野で多用されている。
【０００４】
上述したような衣類に機能性を与えるための機能性繊維素材は、様々な機能性繊維素材、たとえば、高吸水機能や吸水速乾機能付きの水分を制御する繊維素材、冬季用である発熱機能の保温性、または夏季用である冷感性などの温度を制御する繊維素材、 遠赤外線や陰イオンなどの人体に有益なエネルギーを放射する繊維素材、疾病の治療または緩和の機能を有する衣類用繊維素材などが現在開発されて市販されている。
【０００５】
上述した様々な機能性繊維素材のうち、水分を制御する繊維素材は、使用される繊維の発展および織物や編み物、不織布などの生地製造技術の発展により、現在飛躍的に発展している。温度を制御する繊維素材は、多様な機能性物質の開発により、この機能性物質を用いて繊維に含有させるか或いは生地にプリントする方法で多くの発展が行われてきた。
【０００６】
ところが、上述の人体に有益なエネルギーを放射する繊維素材は、大部分の材料が無機物であって、生地の適用の際に生地の触感が悪くかつ離脱し易く、開発が難しいという問題があった。
【０００７】
特許文献１には麦飯石と抗菌剤を生地に塗布する技術が開示されているが、このような生地でも、洗濯を必要とするが、漂白剤や洗剤類などにより洗濯の際に機能が消滅してはならないにも拘らず、上述した機能性物質は洗濯の際に機能性が消滅してしまうという問題点があった。
【先行技術文献】
【特許文献】
【０００８】
【特許文献１】韓国登録特許第０２５４９４５号公報
【発明の概要】
【発明が解決しようとする課題】
【０００９】
本発明は、上述したような従来の技術の問題点を解消するために発明されたもので、その目的は、人体に有益な生体活性エネルギーを放射する繊維シートを提供することにある。
【００１０】
本発明の他の目的は、様々な機能性物質によって繊維シートの着用の際に乳酸の生成を防止し、筋持久力の増加、血流量の増加などの機能性を有する生体活性エネルギーを放射する繊維シートを提供することにある。
【００１１】
本発明の別の目的は、体温を感知する機能を持っており、身体適用状態を知ることが可能な審美感のある、生体活性エネルギーを放射する繊維シートを提供することにある。
【００１２】
本発明の別の目的は、多様な機能性によりトレーニング服または作業服に適した、生体活性エネルギーを放射する繊維シートを提供することにある。
【課題を解決するための手段】
【００１３】
本発明は、生体活性エネルギーが放射される衣類用繊維シートにおいて、前記繊維シートの一面に酸化ケイ素、マグネシア、アルミナ、酸化ナトリウム、酸化カルシウム、酸化鉄の生体活性エネルギー放射物質が塗布されて形成される生体活性エネルギー放射層と、前記生体活性エネルギー放射層上の一部に形成され、一定の温度で変色する感温変色部とを含んでなることを特徴とする、生体活性エネルギーを放射する衣類用繊維シートを提供する。
【００１４】
ここで、前記酸化ケイ素、マグネシア、アルミナ、酸化ナトリウム、酸化カルシウム、酸化鉄の生体活性エネルギー放射物質はバインダーと混合されて塗布されることを特徴とする。
【００１５】
また、前記バインダーはアクリル系バインダーであることを特徴とする。
【００１６】
また、前記生体活性エネルギー放射物質は繊維シートの重量に対して５〜４０％で塗布されて形成されることを特徴とする。
【００１７】
また、前記酸化ケイ素、マグネシア、アルミナ、酸化ナトリウム、酸化カルシウム、酸化鉄はそれぞれ生体活性エネルギー放射物質に０．５重量％以上ずつ含まれることを特徴とする。
【００１８】
また、前記感温変色部は、波形形状、ドット状、ストライプ状、またはデザインされた形状に形成されることを特徴とする。
【００１９】
前記感温変色部は、前記生体活性エネルギー放射層と同じ色相に形成され、１０〜３０℃では変色して前記生体活性エネルギー放射層と異なる色相を有することを特徴とする。
【００２０】
また、前記感温変色部は、前記生体活性エネルギー放射層と異なる色相に形成され、１０〜３０℃では変色して前記生体活性エネルギー放射層と同じ色相を有することを特徴とする。
【発明の効果】
【００２１】
上述したような本発明に係る生体活性エネルギーを放射する繊維シートは、人体に有益な生体活性エネルギーを放射することにより、運動および回復の際に一般衣類の着用時より乳酸の分泌量が少なくて相対的に筋疲労度が少ないという効果がある。
【００２２】
また、本発明の生体活性エネルギーを放射する繊維シートから放射される生体活性エネルギーは、血液内の連銭形成を解体して血液の流れを円滑にし、活性酸素の発生を阻害して老化を防止するという効果がある。
【００２３】
また、本発明は、リンパ、肺、大腸、神経、循環、アレルギー、臓器の変性腺、三焦（経絡）、心臓、小腸などの全般的な身体器官のコンディションを速く回復させるという効果がある。
【図面の簡単な説明】
【００２４】
【図１】本発明に係る生体活性エネルギーを放射する衣類用繊維シートを示す断面図
【図２】本発明に係る生体活性エネルギーを放射する衣類用繊維シートの感温変色部の第１実施形態を示す図
【図３】本発明に係る生体活性エネルギーを放射する衣類用繊維シートの感温変色部の第２実施形態を示す図
【図４】本発明に係る生体活性エネルギーを放射する衣類用繊維シートの感温変色部の第３実施形態を示す図
【図５】本発明に係る生体活性エネルギーを放射する衣類用繊維シートの乳酸測定試験結果を示すグラフ
【図６】本発明に係る生体活性エネルギーを放射する衣類用繊維シートの微細血流測定結果を示す写真
【図７】本発明に係る生体活性エネルギーを放射する衣類用繊維シートの筋持久力測定結果を示す写真
【図８】本発明に係る生体活性エネルギーを放射する衣類用繊維シートのＥＶＡ測定試験結果を示すグラフ
【発明を実施するための形態】
【００２５】
以下に添付図面を参照しながら、本発明の好適な一実施例を詳細に説明する。図面における同一の構成要素または部品はできる限り同一の参照符号を付した。本発明を説明するにあたり、関連した公知の機能或いは構成に対する具体的な説明は本発明の要旨を曖昧にしないようにするために省略する。
【００２６】
本明細書で使用される程度関連用語「約」、「実質的に」などは、言及された意味に固有な製造および物質許容誤差が提示されるとき、その数値からまたはその数値に近接した意味で使用されるとともに、本発明の理解に役立つために正確かつ絶対的な数値が言及された開示内容を非良心的な侵害者が不当に利用することを防止するために使用される。
【００２７】
図１は本発明に係る生体活性エネルギーを放射する衣類用繊維シートを示す断面図、図２は本発明に係る生体活性エネルギーを放射する衣類用繊維シートの感温変色部の第１実施形態を示す図、図３は本発明に係る生体活性エネルギーを放射する衣類用繊維シートの感温変色部の第２実施形態を示す図、図４は本発明に係る生体活性エネルギーを放射する衣類用繊維シートの感温変色部の第３実施形態を示す図、図５は本発明に係る生体活性エネルギーを放射する衣類用繊維シートの乳酸測定試験結果を示すグラフ、図６は本発明に係る生体活性エネルギーを放射する衣類用繊維シートの微細血流測定結果を示す写真、図７は本発明に係る生体活性エネルギーを放射する衣類用繊維シートの筋持久力測定結果を示す写真、図８は本発明に係る生体活性エネルギーを放射する衣類用繊維シートのＥＶＡ測定試験結果を示すグラフである。
【００２８】
本発明は、図１〜図４に示すように、繊維シート１０の一面に生体活性エネルギー放射層１００と感温変色部２００が順次積層されて形成される、生体活性エネルギーが放射される衣類用繊維シートに関する。
【００２９】
前記生体活性エネルギーの放射物質は、分子構造と原子の振動などによる固有のエネルギーを持っており、人体にエネルギーを伝達する。このエネルギーは、人体の筋肉に刺激を与え、血液循環に役立ち、血液中の酸素含量を増加させる上、人体の活力を増加させる作用を果たす。
【００３０】
このような生体活性エネルギーは、筋肉層までエネルギーを伝達して筋肉の動きを活性化させ、筋肉の疲労度を減少させる機能を発現する。
【００３１】
前記生体活性エネルギー放射層は、酸化ケイ素、マグネシア、アルミナ、酸化ナトリウム、酸化カルシウム、酸化鉄の生体活性エネルギー放射物質が塗布されて形成される層である。前記酸化ケイ素は皮膚毛穴の中の老廃物および過剰皮脂を除去する機能を有し、前記マグネシアは老廃物の排泄を促進し、コラーゲンの結合に作用する。
【００３２】
また、前記アルミナは血液循環を改善し、前記酸化ナトリウムは生体内の浸透圧、水分調節を円滑にする機能を有し、前記酸化カルシウムは身体の解毒作用に役立ち、前記酸化鉄コラーゲンの結合に作用する。
【００３３】
前記酸化ケイ素、マグネシア、アルミナ、酸化ナトリウム、酸化カルシウム、酸化鉄の生体活性エネルギー放射物質は、バインダーと混合されて繊維シート１００の一面に塗布されることにより、生体活性エネルギー放射層１００を形成することができる。
【００３４】
前記バインダーは、繊維シートに用いられるバインダーであればいずれでも使用可能であり、一例として、アクリル系バインダー、シリコン系バインダー、ポリウレタン系バインダーなどを全て使用することができる。前記バインダーのうち、皮膚刺激が殆どない、使用し易いアクリル系バインダーを使用することが好ましい。
【００３５】
前記生体活性エネルギー放射層を形成する前記生体活性エネルギー放射物質は、繊維シートの重量に対して５％未満で塗布される場合には生体活性エネルギー放射物質の機能が低下するおそれがあり、繊維シートの重量に対して４０％を超過して塗布される場合にはコストが上昇し、機能性の上昇も大きくない。よって、前記生体活性エネルギー放射物質は、繊維シートの重量に対して５〜４０％で塗布されることが好ましい。
【００３６】
また、生体活性エネルギー放射物質である酸化ケイ素、マグネア、アルミナ、酸化ナトリウム、酸化カルシウム、酸化鉄の機能が互いに円滑に行われるためには、酸化ケイ素、マグネシア、アルミナ、酸化ナトリウム、酸化カルシウム、酸化鉄は前記生体活性エネルギー放射物質にそれぞれ０．５重量％以上ずつ含まれることが好ましい。
【００３７】
前記生体活性エネルギー放射物質には、酸化ケイ素、マグネシア、アルミナ、酸化ナトリウム、酸化カルシウム、酸化鉄以外にも、植物抽出物、抗菌剤などの様々な機能性物質がさらに追加できる。
【００３８】
前記感温変色部２００は、図１に示すように、生体活性エネルギー放射層１００上に形成され、本発明の生体活性エネルギーを放射する衣類用繊維シートの審美感および着用状態が直ちに分かるように肉眼的機能を発現する構成である。前記感温変色部は、図２の波形形状、図３のドット状、図４のストライプ状などの多様な形状に形成できる。その他にも、感温変色部２００は上述していない多様なデザインされた形状に形成されてもよい。
【００３９】
前記感温変色部２００は、感温変色顔料から形成される層である。感温変色顔料は、特定の温度範囲で色が発現し或いは消える顔料であって、熱を吸収すると、化合物の構造が変わって発色または消色し、熱を遮断させると、さらに元の化合物構造に戻って消色または発色する可逆性を持つ。一般に、このような感温変色顔料の原料物質は、電子供与性及び呈色性の有機化合物であって、電子を放出するドナーと電子を受け入れるアクセプタからなっている。このような構成成分の相互作用により結晶相で色相を出す。熱を加えると、アクセプタが分離されて相互作用が行われないため、色相がなくなる。
【００４０】
感温変色顔料は、このような電子供与性及び呈色性の有機化合物と電子受容性化合物からなり、外部環境に敏感であり、特に空気中の酸素または湿度に非常に敏感であるため、低温熱可塑性樹脂などでコートして使用することが好ましい。マイクロカプセル化によってマイクロカプセルにして使用することが好ましい。
【００４１】
前記感温変色部２００は、前記感温変色顔料とバインダーを混合して、たんぽ塗り（ｐａｄｄｉｎｇ）、プリントなどの方法で形成することができる。
【００４２】
前記感温変色部２００は、本発明の生体活性エネルギーを放射する衣類用繊維シートの審美感を与える構成部であって、様々な作用形態を持つことができる。
【００４３】
一例として、前記感温変色部２００は、前記生体活性エネルギー放射層１００と同じ色相に形成し、身体の表面温度付近である１０〜３０℃で変色するように設計することにより、１０〜３０℃では前記生体活性エネルギー放射層と異なる色相を持つようにすることができる。
【００４４】
別の例として、前記感温変色部２００は、前記生体活性エネルギー放射層１００と異なる色相に形成し、身体の表面温度付近である１０〜３０℃で変色するように設計することにより、１０〜３０℃では前記生体活性エネルギー放射層と同じ色相を持つようにすることができる。
【００４５】
上述したように、前記感温変色部を、身体の表面温度付近である１０〜３０℃で変色するように設計することにより、着用状態に応じて感温変色部が変色して審美感を与えることができる。
【００４６】
前記感温変色部２００を形成する感温変色顔料が体温付近の温度で変色するようにするために、エステル基を有する化合物、アルコール基を有する化合物、アミド基を有する化合物などが感温変色顔料に含まれることが好ましい。
【実施例】
【００４７】
以下、本発明に係る生体活性エネルギーを放射する衣類用繊維シートを製造するための方法の実施例を示す。しかしながら、本発明はこれらの実施例に限定されるものではない。
【００４８】
酸化ケイ素１０重量％、マグネシア１０重量％、アルミナ１０重量％、酸化ナトリウム１０重量％、酸化カルシウム１０重量％、酸化鉄１０重量％、第４級アンモニウム系抗菌剤４０重量％を混合して生体活性エネルギー放射物質を形成し、この生体活性エネルギー放射物質とアクリル系バインダーを１：１で混合し、この混合物をポリエステル繊維から製造される繊維シートの一面にロールプリント方式でプリントして生体活性エネルギー放射層を形成した。
【００４９】
前記生体活性エネルギー放射層上に感温変色部を図２のように形成することにより、本発明に係る生体活性エネルギーを放射する衣類用繊維シートを製造した。
【００５０】
前記感温変色部は、２０℃で変色する感温変色顔料とアクリル系バインダーとを混合して一般な部分プリント方式で形成した。
【００５１】
上述したように製造された本発明に係る生体活性エネルギーを放射する衣類用繊維シートを上着の衣服に製造し、次のように幾つかの方法で効能を実験した。
【００５２】
１．乳酸の測定
測定場所：仁荷大学校のスポーツ／レジャー繊維研究センター
実験方法：試験２４時間前から衣服を着用させた後、運動を３０分行い、回復３０分間の乳酸分泌を測定した。
比較例として、一般ポリエステル繊維から製造された上着の衣服を着用させて同一の実験を行い、実験結果を実施例と比較した。
結果：乳酸測定結果は図５に示した。
【００５３】
乳酸は、体内でエネルギーを作るグリコーゲン（補助的な短期エネルギー貯蔵用途。主に肝と筋肉から生成される。人体でブドウ糖を急に必要とするとき、迅速に貯蔵されたブドウ糖を供給する）が筋肉の使用により分解されながら生成されるものである。図５から分かるように、本発明の実施例は、運動および回復の際に比較例の着用時より乳酸分泌量が少なくて相対的に筋疲労度が少ない。
【００５４】
２．血流量の観察（赤血球の観察）
測定場所：仁荷大学校のスポーツ／レジャー繊維研究センター
実験方法：試験２４時間前から衣服を着用させた後、赤血球の流れを観察した。
比較例として、一般ポリエステル繊維から製造された上着の衣服を着用させて同一の実験を行い、実験結果を実施例と比較した。
結果：赤血球観察結果は図６に示した。左は比較例、右は実施例の赤血球観察写真である。
【００５５】
連銭形成（Ｒｏｕｌｅａｕｘ Ｆｏｒｍａｔｉｏｎ）は、抗ガンマグロブリン血症などがあるとき、赤血球が塗抹標本上に均等に分布せず、あたかも積み重ねたコインが崩れたように赤血球が連なっている状態であり、骨髄腫やマイクログロブリン血症などの診断基準となる。
【００５６】
図６に示すように、比較例では連銭形成が観察されるが、本発明の実施例では連銭形成が観察されないので、生体活性エネルギーは、連銭形成を解体して血液の循環に役立つことがわかる。
【００５７】
３．筋地久力の測定
測定場所：ベンテックス（株）の実験室
実験方法：試験７２時間前から衣服を着用させた後、筋が一定の速度と強度を持つ運動を持続的に行わせる。
比較例として、一般ポリエステル繊維から製造された上着の衣服を着用させて同一の実験を行い、実験結果を実施例と比較した。
【００５８】
結果を図７に示した。図７から分かるように、比較例の着用時より実施例の着用時に筋持久力が上昇する。よって、実施例を着用すると、比較例を着用したときより運動または作業能力を向上させることができる。
【００５９】
４．活性酸素量の測定
測定場所：ベンテックス（株）の実験室
実験方法：試験７２時間前から衣服を着用させた後、活性酸素量を測定した。実験対象者は男性４名、女性４名であって、それぞれの活性酸素量を測定した。
【００６０】
比較例として、一般ポリエステル繊維から製造された上着の衣服を着用させて同一の実験を行い、実験結果を実施例と比較した。
その結果を表１に、活性酸素量（ＣＡＲＲ  Ｕ）で示した。
【００６１】
【表１】
2015523248.tif 000003
【００６２】
活性酸素は、対になっていない電子を持つ酸素化合物を総称し、非常に不安定な物質であって、組織内の周辺物質と反応して電子のやり取り（酸化作用）を行って安定化しようとする性質があるため、このような作用により老化および疾病が引き起こされる。
【００６３】
表１より、比較例の着用時より実施例の着用時に体内で活性酸素の発生が実験対象者８名のすべてで減少することが分かる。よって、本発明の実施例は、癌、老化、肝臓・胃腸疾患、動脈硬化・心臓・脳疾患、糖尿、アトピー性皮膚炎、関節リウマチーなどの疾病を引き起こす危険要素を減少させることができる。
【００６４】
５．ＥＶＡ（Ｅｌｅｃｔｒｏａｃｕｐｕｎｃｔｕｒｅ ａｃｃｏｒｄｉｎｇ ｔｏ Ｖｏｌｌ）測定
測定場所：Ｇｅｒｍａｎｙ  Ｇｅｒｍａｃｏｌｏｒ  Ｌａｂｏｒａｔｏｒｙ
実験方法：試験４５分前から衣服を着用させた後、活性酸素量を測定した。実験対象者は男性４名、女性４名であって、それぞれの活性酸素量を測定した。
測定装備：Ｍ．Ｌ．Ｋｉｎｄｌｉｎｇ ＧｍｂＨ、Ｇｅｒｍａｎｙ Ｔｙｐｅ−Ａｋｕｐｏｒｔ Ｍ２［医療装備認証番号−ＤＩＮ ＥＮ ＩＳＯ １３４８５：２００７］
比較例として、一般ポリエステル繊維から製造された上着の衣服を着用させて同一の実験を行い、実験結果を実施例と比較した。
結果を図８に示した。
【００６５】
ＥＶＡは、漢方医学的な経絡理論を解剖学と結び付けて経絡を電気生理学的に接近した機器の手動電極に生理的電流水準程度の直流電流を流して生体の抵抗を測定するものである。各経穴或いは測定部位点はその生体の抵抗に反応して陰電荷を発生させるが、測定電極に引かれた陰電荷は機器の本体内に流れ込んでいろいろの装置によって適切に校正された０〜１００の指示値として表される。最低数値０は無限大の抵抗を示し、最高数値１００は抵抗がないことを示す。
【００６６】
図８に示すように、結果値が４０〜６０のときは理想的なコンディション状態であって、比較例の着用時より実施例の着用時に全般的に身体器官のコンディションが好転することが分かる。
【符号の説明】
【００６７】
１０    繊維シート
１００  生体活性エネルギー放射層
２００  感温変色部
【図１】
2015523248.tif 000004
【図２】
2015523248.tif 000005
【図３】
2015523248.tif 000006
【図４】
2015523248.tif 000007
【図５】
2015523248.tif 000008
【図７】
2015523248.tif 000009
【図８】
2015523248.tif 000010
【図６】
2015523248.tif 000011
【国際調査報告】
2015523248.tif 000012
2015523248.tif 000013
2015523248.tif 000014
2015523248.tif 000015
2015523248.tif 000016
2015523248.tif 000017